(57)【特許請求の範囲】
【請求項１】
送受話器と、
前記送受話器の下端に結合された虚像表示装置と、
前記虚像表示装置上でカーソルを動かすための指示手段と、
前記虚像表示装置上で前記カーソルにより強調表示された項目を選択するための選択手段と、
を含むパーソナル・コミュニケータであって、
前記送受話器は、スピーカを含み、前記スピーカは前記送受話器の上端に備えられ、
前記虚像表示装置は曲面ミラー、及び、ディスプレイを含み、
前記ディスプレイは、前記送受話器の底面に備えられ、
前記曲面ミラーは、前記送受話器に対して移動可能な支持アームを介して、前記送受話器の下端に接続され、及び、前記ディスプレイからの光が前記曲面ミラー上で一回反射することによってユーザが前記スピーカに耳を当てた状態で見ることができる虚像を提供できるように寸法設定され且つ前記ディスプレイからの間隔が設定されている、 
ことを特徴とするパーソナル・コミュニケータ。
【請求項２】
前記曲面ミラーが、前記送受話器の少なくとも一部分のカバーとしても働くことを特徴とする、請求項１に記載のパーソナル・コミュニケータ。
【請求項３】
前記曲面ミラーが、前記支持アームに対して移動可能であることを特徴とする、請求項１に記載のパーソナル・コミュニケータ。
【請求項４】
前記支持アームが、半可撓ストラップからなることを特徴とする、請求項１に記載のパーソナル・コミュニケータ。
【発明の詳細な説明】
【０００１】
【発明の属する技術分野】
本発明は、一般に、通信装置に関する。より詳細には、本発明は、音声と表示の両方を含む個人用通信装置に関する。
【０００２】
【従来の技術】
セルラ（または他の無線）電話を限られた機能のコンピュータと組み合わせた小型装置の大きな市場（２０００年までに年間売上が１５億ドルを越えると予測される）が発展し始めている。「パーソナル・コミュニケータ」と呼ばれるこの種の装置の初期の例は、ＩＢＭ／Ｂｅｌｌ−Ｓｏｕｔｈの「ＳＩＭＯＮ」である。ＳＩＭＯＮの現在の形態は、セルラ電話にバックライト付きのタッチ式表示装置を備えた比較的小型のコンピュータ（８０８６クラス、８０３８６クラスに移行）を加えたものである。このコンピュータと無線通信及びそれを動かすソフトウェアの組み合わせによって、単一の装置で、無線電話機能、個人情報管理（たとえば、電子カレンダやアドレス／電話番号リスト）、ならびにデジタル・データの両方向無線転送を可能にする強力な生産性向上ツールができる。
【０００３】
【発明が解決しようとする課題】
これまで、これらの装置の限界として、電話の通話中にデータ表示装置の画面が見にくいこと、比較的大きなＬＣＤディスプレイが重く壊れやすいこと、バックライト付き白黒ディスプレイが必要とする電力が比較的大きいこと、カラー表示を提供するためにはさらに高いコストと電力が必要なことがあった。
【０００４】
さらに、タッチ式及びスタイラス式ユーザ・インターフェースは、一般に、操作するために両手を必要とし、ユーザが自分の前にユニットを保持しながらそのユニットに話しかけなければならないスピーカホン・モード以外では、電話送受話器と通信機能を同時に使用することはできない。将来、これらの装置には音声式操作が加えられるであろうが、実際の音声式ユーザ・インターフェースでもやはりユーザは使用中に表示装置を見る必要がある。その理由は、音声式ナビゲーションでは、ユーザが許容可能な１組の選択肢（メニュー項目）を見る必要があり、口述モードでは、ユーザが音声−テキスト変換の進行状況を見たくなるためである。
【０００５】
ディスプレイを見ながら電話送受話器を通常のプライベート（非スピーカホン）モードで利用するのが難しいＳＩＭＯＮ型設計の代替策として、パーソナル・コミュニケータを、ビュー・ファインダ型の「映写」ディスプレイとスピーカとマイクロホンとをすべてヘッドセットの「フレーム」に組み込んだメガネやゴーグルのように形成することが提案された。この対話方式は、結局は一般的になり(おそらく今日のビデオ・ゲーム世代によって）広く受け入れられるかもしれないが、手短な電話や単なる電子メールの簡単な確認を頻繁に行う必要のあるユーザには不自然でかつ不便である。
【０００６】
もう１つの考えられる代替策は、表示装置をユニットから取り外して、電話器を持っている手と反対側の手でユーザの目前に保持できる、ＳＩＭＯＮ型の装置を作成することである。主送受話器に着信したデータは、電話と表示装置の間の赤外線その他の無線リンクによって、ディスプレイに中継することができる。この設計は、同時に見て話すことが可能になるが、簡単な操作に両手を必要とし、ディスプレイから項目を指示または選択する操作が難しくなる（手が３本必要なこともある）。
【０００７】
したがって、音声機能と表示機能を共に含む改良型パーソナル通信装置が必要である。
【０００８】
したがって、本発明の目的は、音声機能と視覚機能を共に備えるパーソナル・コミュニケータを提供することである。
【０００９】
本発明のもう１つの目的は、電話機能と虚像表示機能を備えるパーソナル・コミュニケータを提供することである。
【００１０】
本発明のもう１つの目的は、指示機能と選択機能を組み込んだパーソナル・コミュニケータを提供することである。
【００１１】
【課題を解決するための手段】
簡単に言うと、本発明は、虚像表示装置、虚像上で指示を行う手段、及び選択を行う手段を組み込んだ送受話器を提供することにより、改良型パーソナル・コミュニケータの必要を満たす。
【００１２】
本発明は、送受話器と、送受話器に結合された虚像表示装置と、虚像表示装置上で指示を行う手段および選択を行う手段とを含むパーソナル・コミュニケータを提供する。パーソナル・コミュニケータはさらに、コンピュータと、通信者が右手で使用するか左手で使用するかに基づいて虚像を回転させる重力感応スイッチを含むこともできる。
【００１３】
本発明の以上その他の目的、特徴および利点は、添付図面に関して行う本発明の様々な態様についての以下の詳細な説明から明らかになるであろう。
【００１４】
【発明の実施の形態】
本発明のパーソナル・コミュニケータは、以下の説明から明らかになるように、多数の異なる実施形態をとることができる。しかしながら、本明細書で開示される各実施形態は、送受話器と、虚像表示装置と、虚像表示装置上の指示手段および選択手段とを何らかの形で含む。最初に、すべての実施形態に関する一般的な説明を行う。
【００１５】
虚像は、机上の１０インチ・ノートブック型ディスプレイや１４インチ・ディスプレイとほぼ同じ（同じ視角で潜在的に同じ解像度）に見えることが好ましい。片方の目の方がよくきくため、頭の特定の側でパーソナル・コミュニケータを使用しなければならない人もおり、表示装置がうまく回転しさえすれば電話器を一方の耳から他方の耳に移す人もいるであろう。表示装置が左側位置と右側位置の間で回転されるとき、（たとえば、重力動作式）スイッチが活動化されて、ディスプレイ上の画像を自動的にひっくり返して適切な向きを維持することが好ましい。
【００１６】
指示及びメニュー選択のために、送受話器は、たとえばユーザの親指が自然にのる場所に位置する指示装置を含む。代替策として、この指示装置を、他の指で操作しやすい場所に配置してもよい。
【００１７】
当然のことながら、カーソルの下にある（あるいは、強調表示された）項目を実際に選択できるようにするために、指示装置と一緒に使用できる１つまたは複数の「マウス」選択ボタンやその他のセレクタも含まれる。送受話器上の２つの固定した選択ボタンが、機能的な解決策であるが、パーソナル・コミュニケータの送受話器部分の少なくとも１つの縁に、圧力センサや小型スイッチなど比較的高分解能のアレイを取り付けることによって、ユーザが指を特定の握り位置に正確に置く必要がない「仮想」セレクタを提供することもできる。センサまたはスイッチの間隔が所与の平均的な指の幅よりも狭ければ、組込みのコンピュータ（図１３を参照して詳細に説明される）でユーザの様々な指の位置を検出することができる。この技術によって、固定された位置にある特定のスイッチではなく、操作するために使用される指によって、選択ボタンの機能を決定することが可能になる。換言すると、このコミュニケータは、たとえば、ユーザの人差し指で短時間押すことによって、 人差し指がある場所と関係なしに左マウス・ボタン機能を始めることができる。同様に、ユーザの中指で押すことによって、この場合も指の厳密な位置と関係なく、右マウス・ボタンの機能を始めることができる。代替策として、これらのセレクタは、同じ指または違う指で操作可能な、選択機能用の別々の仮想セレクタ（たとえば、２列のセンサ／スイッチ）でもよい。
【００１８】
図１は、送受話器１２と虚像表示装置１４を含むパーソナル・コミュニケータ１０を示す。送受話器１２は、スピーカ１６、キーボード１８およびマイクロホン２０を含む。虚像表示装置１４は、曲面ミラー２２、部分反射／透過光学素子２４、ディスプレイ２６、回転ベース２８およびマイクロプロセッサまたは他の組込みコンピュータ（図１３を参照）を含む。また、スティック型指示装置３０とセレクタ３２（すなわち、指示手段の一例）は、虚像表示装置上でユーザに見えるカーソルの制御を提供する。セレクタ３２は、反対側３４の別の指示装置と対応しており、それにより、ユーザが親指で指示装置を制御することができ、同時に人差し指または他の指でセレクタを制御することが好ましい。指示手段は、たとえば、カーソルまたは他の強調表示手段の１次元または２次元経路指定を行うことができる。
【００１９】
現在使用できる技術では、指示手段または選択手段として、多語彙音声認識を追加することも可能であるが、これは、コミュニケータのコストと電力消散量に影響を及ぼすと思われる。音声認識技術分野の当業者には分かるように、音声認識は、ハードウェアだけ、ハードウェアとソフトウェアの組合せ、あるいは好ましくはソフトウェアだけで実施することができる。組合せ型の音声認識の一例は、ＩＢＭのＶｏｉｃｅＴｙｐｅ(R) Ｄｉｃｔａｔｉｏｎ ２．０である。ソフトウェア型音声認識の実施態様の一例は、ＩＢＭのＶｏｉｃｅＴｙｐｅ(R) Ａｐｐｌｉｃａｔｉｏｎ Ｆａｃｔｏｒｙであり、これは、少なくとも４８６クラスのプロセッサで稼動し、コマンド機能と制御機能を提供する。ソフトウェアの実施形態の別の例は、ＩＢＭのＶｏｉｃｅＴｙｐｅ(R) Ｄｉｃｔａｔｉｏｎ ３．０であり、これは少なくともＰｅｎｔｉｕｍ(R)クラスのプロセッサで稼動し、コマンド機能と制御機能ならびに書き取り機能を提供する。
【００２０】
ディスプレイ２６は、対角線長が約３３ｍｍ以下で小さいことが好ましく、白黒でもカラーでもよい。部分反射／透過光学素子２４は、いくつかの異なる形を取ることができ、その目的は、ディスプレイ２６から曲面ミラー２２への光を反射させかつ曲面ミラー２２からの光を通過させることである。部分反射／透過光学素子２４は、たとえばビームスプリッタでよく、偏光子を組み込むこともできる。曲面ミラー２２は、部分反射／透過光学素子２４を介してディスプレイ２６からの画像を反射し、送受話器１２が任意選択で同時に使用できるようにパーソナル・コミュニケータ１０をユーザが耳にあてている間に見ることができる虚像を作り出す。曲面ミラー２２は、たとえば、ディスプレイ２６からの画像の径路長の２倍程度（±約２０％）の曲率半径をもつ。
【００２１】
送受話器１２と虚像表示装置１４を一緒に利用すれば、無線コンピュータ機能を実現することができる。たとえば、送受話器は、情報を虚像の形で表示する組込みコンピュータ用のデジタル・データを受信することができる（かつ任意選択で送信することもできる）。代替策として、組込みコンピュータを独立型とすることも、また電話送受話器とは別にデジタル・データを受信することもできる（かつ任意選択で送信することもできる）。これにより、ユーザは、組込みコンピュータを使用しながら送受話器で話しをすることができる。さらにもう１つのオプションは、虚像を、ユーザが話している相手の人の画像とすることである。
【００２２】
実際には、虚像の位置は、回転ベース２８上で虚像表示装置１４を回転させることによって調整される。さらに、虚像内のカーソルは、送受話器１２上にそれぞれ都合よく配置されたユーザの親指と人差し指用のスティック型指示装置３０およびそれと対応するセレクタ１３２（セレクタ３２の反対側の側面３４にある、図３参照）によって制御される。さらに、セレクタ３２に対応する第２の指示装置１３０（図３を参照）が、送受話器１２の反対側の側面３４に配置される。さらに、送受話器１２は、無線送受話器（たとえば、アナログまたはデジタルのセルラ電話、あるいは無線信号式の電話）でもよい。さらに、パーソナル・コミュニケータ１０は、重力感応スイッチ（図１３を参照）を含むこともできる。パーソナル・コミュニケータ１０をユーザの左手で使用するか右手で使用するかに応じて、重力感応スイッチが、虚像を１８０°回転させてそれに対処する。
【００２３】
図２は、オプションの遮光素子３６を加えた図１のパーソナル・コミュニケータ１０の側面図である。素子３６は、周囲光による虚像上のギラつきを防止する。次に、虚像の生成について詳しく説明する。ディスプレイ２６上に実像が生成されると、ディスプレイ２６からの光が、部分反射／透過光学素子２４に送られ、一部が曲面ミラー２２に反射されて部分反射／透過光学素子２４に戻る。部分反射／透過光学素子２４によって、ディスプレイ２６から出た光の一部分が曲面ミラー２２で反射されて通過することができ、それにより、ユーザが見ることができる虚像が生成される。オプションの遮光素子３６は、部分反射／透過光学素子２４が偏光子を含む場合は、必要でないこともある。
【００２４】
図３は、ベース２８上で回転される虚像表示装置１４を備えた図１のパーソナル・コミュニケータ１０の上面図である。さらに、この上面図では、他の１組の指示装置１３０とセレクタ１３２を示す。前述のように、指示装置１３０がセレクタ３２に対応することが好ましく、指示装置３０がセレクタ１３２に対応することが好ましい。
【００２５】
図４は、使用中の図３のパーソナル・コニュニケータを示す。図示したように、ユーザが親指１３４でスティック型指示装置３０を操作し、対応するセレクタ１３２は、ユーザが人差し指１３６によって操作される。
【００２６】
図５は、図４に示したパーソナル・コミュニケータ１０の修正版であるパーソナル・コミュニケータ１３８を示す。コミュニケータ１３８とコミュニケータ１０の唯一の違いは、コミュニケータ１３８では、個別のセレクタ３２と１３２がそれぞれ仮想セレクタ１４０と１４２で置き換わっている点である。仮想セレクタはそれぞれ、複数の独立した圧力センサやスイッチなど（たとえば、センサ１４４）を含む。前に述べたように、このような仮想セレクタによって、ユーザの指の実際の場所と関係なしに選択を実行することができる。したがって、ユーザは任意の指（たとえば、人差し指１３６、中指１４６、薬指１４８）を使って選択作業を実行することができる。
【００２７】
図６は、本発明によるパーソナル・コミュニケータ３８の第２の実施形態を示す。パーソナル・コミュニケータ３８の送受話器部分４０は、第１の実施形態のものと類似している。しかし、虚像表示装置４２は、同じ基本原理に従って動作可能であるが、第１の実施形態のものとはやや異なる。たとえば、虚像表示装置４２のディスプレイ４４は、固定されており回転しない。別の例として、虚像表示装置４２はもう１つの光学素子４６を含み、第１の実施形態で行ったようにパーソナル・コミュニケータ３８を左手または右手で使用している間に虚像表示装置を手動で回転させることなく、虚像が見られる。光学素子４６は、たとえば、回折格子や波形レンズ（lenticular lens）でよい。当業者には周知のように、回折格子は、一般に等距離の狭い間隔で細かく引かれた水平な線を含む透明な板または部材であるが、たとえば、ガラス板の間に挟んだ重クロム酸ゼラチン層からなりホログラフィで作成することもできる。波形レンズは、画像を少なくとも２つの方向に分割するのこぎり波状の溝構造を有する。光学素子４６を含めると、回折素子またはホログラフィ素子が波長の変化の影響を受けやすい（あるいは、挙動が異なる）ため、ディスプレイ４４が白黒でなければならないこともある。虚像表示装置４２の一部として、曲面ミラー４８、部分反射／透過光学素子５０および周囲光遮断光学素子５２も図示されている。
【００２８】
図７は、図６のパーソナル・コミュニケータの側面図である。図７に示したように、ディスプレイ４４からの光は、部分反射／透過光学素子５０で反射して、曲面ミラー４８に入る。次に、光は曲面ミラー４８から反射して、部分反射／透過光学素子５０に戻り、それを通過し第２の光学素子４６に向かい、それによって少なくとも２つの異なる方向から見えるように光の向きを変える。この場合も、遮光面５２は、周囲光が虚像を妨害しないようにする働きをする。
【００２９】
図８は、第２と第１の実施形態のもう１つの違いを示す。図８は、虚像表示装置４２の折り畳み可能な様々な光学素子を閉じた位置で示す。これは、たとえば、曲面ミラー４８と遮光面５２とを接合する部分５１と、曲面ミラー４８とベース５５を接合する部分５３にヒンジ部材を使用することによって実施することができる。
【００３０】
図９は、本発明によるパーソナル・コミュニケータ５４の第３の実施形態を示す。送受話器５６は、他の実施形態の送受話器と類似している。しかし、虚像表示装置５８は他の実施形態と設計が異なる。虚像表示装置５８は、ディスプレイ６０と曲面ミラー６２（閉位置で示す）を含む。図を見ると分かるとおり、曲面ミラー６２は、前の実施形態の曲面ミラーよりも長い。さらに、曲面ミラー６２は、一対の支持アーム（たとえば、支持アーム６６）によってベース６４に取り付けられている。支持アームは、曲面ミラー６２が、図９に示す閉位置をとることができるように、玉継手（たとえば、玉継手６８）によってベース６４に取り付けられる。
【００３１】
図１０は、図９のパーソナル・コミュニケータ５４を開位置で示す。最初の２つの実施形態と異なり、図９と図１０に示した実施形態には、部分反射／透過光学素子がない。その代わりに、曲面ミラー６２は、一回の反射で虚像を提供できるように寸法設定されディスプレイ６０からの間隔が設定されている。任意選択で、支持アームと曲面ミラー６２の接続部（たとえば、位置７０）にピボット軸や玉継手などを含めることもできる。これにより、曲面ミラー６２を、ディスプレイ６０に向かう方向７２またはその反対の方向７４に傾けることができる。
【００３２】
図１１は、曲面ミラー６２が任意に平行四辺形のリンク運動をする、図１０のパーソナル・コミュニケータ５４を示す。支持アーム（たとえば、支持アーム６６）のどちらかの端で適切に接合した場合、曲面ミラー６２は、図１０に示すように元の中心位置から右側の方向７６にまたは（図１１に示すように）元の中心位置から左側の方向７８に移動することができる。
【００３３】
図１２は、図９ないし図１１のパーソナル・コミュニケータ５４をモジュールの形で示す。送受話器５６及びバッテリ・パック８２は、たとえば、従来のセルラ電話や他の無線電話を含むことができる。ベース６４は、ディスプレイ６０と機能が制限されたコンピュータやその他のコンピュータ（図１３を参照）を収容する。ただし、バッテリ・パック８２は、電話専用に設計されている場合は、たとえばディスプレイ６０により必要電力が増大するため、コミュニケータ５４で使用するときは動作期間が制限されることを理解されたい。さらに、このようなモジュール設計では、特別な時に、パーソナル・コミュニケータ５４のすべてのモジュールではなく送受話器部分５６（およびバッテリ８２）だけをとることもできる。
【００３４】
「機能が制限されたコンピュータ」という用語は、これらの例示的な実施形態で使用するとき、送受話器と虚像表示装置の機能を調整し、かつ虚像表示装置で指示装置とセレクタを使用できるようにするコンピュータのことを指す。一例として、マイクロプロセッサが使用できる。本発明において、より優れた機能あるいは異なる機能のコンピュータも使用できることを理解されたい。
【００３５】
図１３は、図１２に示すパーソナル・コミュニケータ５４の様々なモジュールのブロック図または断面図である（曲面ミラーと支持アームを除いて示す）。ベース６４からのコネクタ８４が、送受話器５６のコネクタ８８と嵌合し、送受話器５６とコンピュータ８６を接続する。さらに、送受話器５６からベース６４を経てバッテリパック８２に電力接続が行われる（たとえば、対応する電源端子９０、９２、９４、９６を介して）。任意選択で、送受話器５６の電源オンオフを、ベース６４のそれと別にすることもできる。もう１つの任意選択で、ディスプレイ６０またはコンピュータ８６あるいはその両方に、最新のノートブック型コンピュータと同様に、使用中でないときに自動的に遮断する機構を含めることもできる。
【００３６】
送受話器５６は、マイクロホン１５０、キーパッド１５２、スピーカ１５４、無線装置１５６、アンテナ１５８、マイクロコントローラ１６０、およびコネクタ８８とマイクロコントローラ１６０の間のデータ／音声リンク１６２を含む。送受話器５６の動作は当業者には理解されよう。
【００３７】
ベース６４は、ディスプレイ６０、コンピュータ８６および重力スイッチ１６４を含む。コンピュータ８６は、マイクロプロセッサ１６６、ＤＲＡＭ１６８およびフラッシュ記憶機構１７０を含む。データ／音声入出力インターフェース１７２は、コンピュータ８６をデータ／音声リンク１７４を介してマイクロホン１５０に接続する。ディスプレイ・インターフェース１７６は、ディスプレイ６０を（インターフェース１７８を介して）コンピュータ８６および指示手段に接続する。指示手段は、指示装置１８０および１８２とそれに対応するセレクタ１８４および１８６を含む。任意選択で、たとえば、ディスプレイ、マイクロホン、キーボード、他の入出力素子およびそれらの組合せなどの外部装置に接続するためのもう１つのデータ／音声リンク１８８を含めることもできる。さらに、任意選択の装置１９０を含み、バス１９２に連結することもできる。たとえば、記憶拡張機構、セキュリティ・スマートカード、あるいはバーコードまたは磁気ストライプ読取り装置を含めることができる。
【００３８】
図１４は、本発明によるパーソナル・コミュニケータ９８の第４の実施形態を示す。パーソナル・コミュニケータ９８は、図１０に示した第３の実施形態と類似しているが、曲面ミラー１００の支持手段が異なる。具体的には、３つの半可撓ストラップ１０２、１０４および１０６が、曲面ミラー１００をベース１０８に接続する。図１４に示すように、半可撓ストラップ１０２は、ストラップ１０６の陰になっている。ストラップ１０２と１０４はストラップ１０６の下にある。半可撓ストラップ１０２、１０４および１０６は、大雑把に言うと、たとえば金属製巻尺と類似したものである。したがって、ストラップは、開位置にあるときは硬いが、曲げて閉位置にできる程度に柔軟である（図１４には、閉位置も示す）。位置１１０と１１２は、ある種の曲面ミラー閉鎖機構のとり得る位置である（分離リリース・ボタン付きまたは無し）。
【００３９】
図１５は、図１４のパーソナル・コミュニケータ９８の側面図である。任意選択で、曲面ミラー１００を、たとえば玉継手（たとえば、玉継手１１４）によって半可撓ストラップに接続することができる。このような接続により、位置１２０にあるマウンティングが、ストラップ１０６の少なくとも制限された摺動運動を可能とする場合、曲面ミラー１００をベース１０８に向う方向１１６、またはベース１０８から離れる方向１１８に傾けることが可能である。さらに、位置１２０の回り継手によって、曲面ミラー１００を、図１４に示した中心位置の左側または右側に回転させることができる。
【００４０】
図１６に示した第４の実施形態の代替例では、底ストラップ１０２および１０４が、玉継手１２４によって曲面ミラー１００に接続された単一の半可撓ストラップ１２２で置き換えられている。ストラップ１２２の上のストラップ１０６も、玉継手１２６によって曲面ミラー１００に接続される。玉継手１２４と１２６が垂直線上にあるため、曲面ミラー１００を縦軸１２８の回りで部分的に旋回させて、右手で利用する場合も左手で利用する場合も見えるようにすることができる。
【００４１】
本明細書では、本発明のいくつかの態様について説明し図示したが、当業者なら、同じ目的を達成するために、代替態様を実行することができよう。したがって、併記の特許請求の範囲は、本発明の真の趣旨および範囲に含まれるそのようなすべての代替態様を含むものである。
【図面の簡単な説明】
【図１】本発明によるパーソナル・コミュニケータの第１の実施形態を示す図である。
【図２】図１のパーソナル・コミュニケータの側面図である。
【図３】虚像表示装置を回転させた図１のパーソナル・コミュニケータの上面図である。
【図４】使用中の図４のパーソナル・コミュニケータを示す図である。
【図５】図４のパーソナル・コミュニケータの修正例を示す図である。
【図６】本発明によるパーソナル・コミュニケータの第２の実施形態を開位置で示す図である。
【図７】図６のパーソナル・コミュニケータの側面図である。
【図８】図６のパーソナル・コミュニケータを閉位置で示す図である。
【図９】本発明によるパーソナル・コミュニケータの第３の実施形態を閉位置で示す図である。
【図１０】図９のパーソナル・コミュニケータを開位置で示す図である。
【図１１】仮想表示装置用のオプション機能を備えた図１０のパーソナル・コミュニケータを示す図である。
【図１２】図９ないし図１１のパーソナル・コミュニケータをモジュールの形で示す図である。
【図１３】図１２のパーソナル・コミュニケータのモジュールのブロック図と断面図である。
【図１４】本発明によるパーソナル・コミュニケータの第４の実施形態を、開位置と閉位置の両方で示す図である。
【図１５】図１４のパーソナル・コミュニケータの側面図である。
【図１６】図１４のパーソナル・コミュニケータの修正例を示す図である。
【符号の説明】
１０  パーソナル・コミュニケータ
１２  送受話器
１４  虚像表示装置
１６  スピーカ
１８  キーパッド
２０  マイクロホン
２２  曲面ミラー
２４  部分反射／透過光学素子
２６  ディスプレイ
２８  回転ベース
３０  スティック型指示装置
３２  セレクタ
【図１】
0003762812.tif 000002
【図２】
0003762812.tif 000003
【図３】
0003762812.tif 000004
【図４】
0003762812.tif 000005
【図５】
0003762812.tif 000006
【図６】
0003762812.tif 000007
【図７】
0003762812.tif 000008
【図８】
0003762812.tif 000009
【図９】
0003762812.tif 000010
【図１０】
0003762812.tif 000011
【図１１】
0003762812.tif 000012
【図１２】
0003762812.tif 000013
【図１３】
0003762812.tif 000014
【図１４】
0003762812.tif 000015
【図１５】
0003762812.tif 000016
【図１６】
0003762812.tif 000017